(57)【特許請求の範囲】
【請求項１】
内視鏡の操作部に配置された処置具挿入口を覆うための柔軟性のある吸水性材料からなる汚液吸収部材を、上記処置具挿入口の近傍に感圧接着によって着脱自在に取り付けたことを特徴とする内視鏡の汚液飛散防止具。
【請求項２】
上記処置具挿入口が、上記操作部に形成された突出部の先端に配置されていて、上記汚液吸収部材が、上記突出部の外周面に感圧接着されている請求項１記載の内視鏡の汚液飛散防止具。
【請求項３】
上記処置具挿入口が、上記操作部に形成された突出部の先端に配置されていて、上記汚液吸収部材が、上記突出部の外周面から上記操作部の外周面にまたがって感圧接着されている請求項１記載の内視鏡の汚液飛散防止具。
【請求項４】
上記処置具挿入口が上記操作部の平面部に配置されていて、上記汚液吸収部材が、上記平面部に感圧接着されている請求項１記載の内視鏡の汚液飛散防止具。
【発明の詳細な説明】
【０００１】
【発明の属する技術分野】
この発明は、鉗子チャンネルの入口である処置具挿入口からの体腔内汚液の飛散を防止するための内視鏡の汚液飛散防止具に関する。
【０００２】
【従来の技術】
内視鏡には一般に、処置具類を通すための鉗子チャンネルが挿入部内に挿通されていて、その先端出口は挿入部の先端において開口し、基端入口である処置具挿入口は操作部において開口している。
【０００３】
ただし、そのままでは、体腔内の圧力によって体腔内の汚液が鉗子チャンネル内を通って操作部側の処置具挿入口から噴出し、術者やその周囲を汚染してしまうことになる。
【０００４】
そこで、そのような汚液噴出を阻止し、且つ鉗子チャンネルに対する処置具の挿脱を行うことができるように、処置具挿入口部には、例えばスリットが形成されたゴム弁からなるいわゆる鉗子栓が装着されている。
【０００５】
【発明が解決しようとする課題】
しかし、鉗子栓に処置具が通されると、ゴム弁のスリットが押し広げられてスリットの端の方の部分では処置具の外周面との間に隙間ができ、その部分から汚液が噴出する場合が少なくない。特に、コイルパイプをシースとする処置具の場合は、外周面に螺旋状に隙間があるので汚液が噴出し易い。
【０００６】
また、シース内に操作ワイヤ等が進退自在に挿通された処置具の場合には、シースと操作ワイヤとの間に隙間があるので、その部分を通って汚液が噴出する場合がある。
【０００７】
そのようにして、体腔内汚液が処置具挿入口から噴出すると、術者の顔や手に汚液がかかったり、周囲に飛散して非常に不衛生な状態になってしまう場合があるが、そのような体腔内汚液の噴出を完全に防止するのは困難である。
【０００８】
そこで本発明は、処置具挿入口から体腔内汚液が外方に飛び散らず、内視鏡検査を衛生的に行うことができる内視鏡の汚液飛散防止具を提供することを目的とする。
【０００９】
【課題を解決するための手段】
上記の目的を達成するため、本発明の内視鏡の汚液飛散防止具は、内視鏡の操作部に配置された処置具挿入口を覆うための柔軟性のある吸水性材料からなる汚液吸収部材を、上記処置具挿入口の近傍に感圧接着によって着脱自在に取り付けたことを特徴とする。
【００１０】
なお、上記処置具挿入口が、上記操作部に形成された突出部の先端に配置されていて、上記汚液吸収部材が、上記突出部の外周面に感圧接着されていてもよい。
【００１１】
或いは、上記処置具挿入口が、上記操作部に形成された突出部の先端に配置されていて、上記汚液吸収部材が、上記突出部の外周面から上記操作部の外周面にまたがって感圧接着されていてもよい。
【００１２】
また、上記処置具挿入口が上記操作部の平面部に配置されていて、上記汚液吸収部材が、上記平面部に感圧接着されていてもよい。
【００１３】
【発明の実施の形態】
図面を参照して本発明の実施の形態を説明する。
図１において、１は内視鏡の操作部であり、その下端部に、体腔内に挿入される挿入部２が連結されている。
【００１４】
挿入部２内には、その先端に開口する鉗子チャンネル４が全長にわたって挿通されている。そして、鉗子チャンネル４の基端側は、操作部１の下端部に斜め上方に向けて突設された突出部３の先端に開口形成された処置具挿入口５に連通している。突出部３の外壁部材は円筒状に形成されている。
【００１５】
処置具挿入口５のすぐ内側の突出部３内には、通常は閉じていて、処置具挿入口５から鉗子チャンネル４内へ処置具が挿通されたときだけ押し開かれる鉗子栓６が配置されている。
【００１６】
操作部１の上半部には、送気送水操作弁７と吸引操作弁８とが前面側に配置され、挿入部２の先端近傍に形成された湾曲部（図示せず）を遠隔的に屈曲操作するための湾曲操作ノブ９が、側面に配置されている。その部分と操作部１の下端部との間は握り部１ａになっている。
【００１７】
２０は内視鏡の汚液飛散防止具であり、図２に示されるように、例えば柔軟性のあるガーゼ等の吸水性材料を折り返して複数枚重ね合わせたもので長方形シート状の汚液吸収部材２１を形成して、その一つの短辺の近傍に、感圧接着面２２が形成されている。
【００１８】
感圧接着面２２は、通常の環境においてはほとんど変質せず、被接着面に対して強く押しつけることによって接着される。ただし、プラスチック面や金属面等に対する接着力は強いものではなく、少し強い力を加えれば剥がすことができる。
【００１９】
汚液吸収部材２１は、感圧接着面２２を挟んでその両側においてミシン縫いされている。２３がそのミシン縫い目である。なお、汚液吸収部材２１は、ガーゼに限らず、海綿、不織布、高分子含水性ポリマーやＰＶＡスポンジ等の連続発泡材等、柔軟性があって吸水性のある素材を広く用いることができる。
【００２０】
このようにして形成された汚液飛散防止具２０は、突出部３の下端部付近の外周面に感圧接着面２２を押しつけて接着させることにより操作部１に取り付けられる。
【００２１】
図３は、その状態の汚液飛散防止具２０だけを示しており、感圧接着面２２部分は突出部３の外周面のほぼ半周に沿うＵ字状になっていて、汚液吸収部材２１は上方に向けられている。
【００２２】
そして、図１に示されるように、汚液吸収部材２１は突出部３の突端部にある処置具挿入口５を覆うように配置されている。そのようにすることにより、鉗子チャンネル４を通ってきた体腔内の汚液が処置具挿入口５から外へ噴出しても、汚液吸収部材２１に吸い取られるので、周囲に飛散したり術者の手や顔にかかったりしない。
【００２３】
鉗子チャンネル４内に処置具を挿通させるときは、図４に示されるように、処置具挿入口５を覆っている汚液吸収部材２１を少し開き気味にＵ字状にした状態で、処置具１００を処置具挿入口５から鉗子チャンネル４内に挿入する。このようにすることにより、処置具１００を使用している最中に体腔内の汚液が処置具挿入口５から外へ漏出しても、汚液吸収部材２１で吸い取ることができる。
【００２４】
図５は、汚液吸収部材２１の幅を広く形成して、感圧接着面２２を突出部３の外周面からその基部側の操作部１外周面にまたがって接着した場合を示している。このようにすることにより、汚液飛散防止具２０をより安定した状態に接着することができる。図６は、その状態の汚液飛散防止具だけを示している。
【００２５】
図７は、汚液吸収部材２１を突出部３の外周面に一周させて取り付けた場合を示している。この場合には、感圧接着面２２が突出部３の外周面にはちまき状に接着されるので、汚液飛散防止具２０をさらに安定した状態に接着することができる。
【００２６】
図８は、そのようにして汚液飛散防止具２０が操作部１に取り付けられた場合に処置具１００が使用されている状態を示しており、図９に横断面が示されるように、筒状になった汚液吸収部材２１の空間部に処置具１００が通される。
【００２７】
図１０は、処置具挿入口５が操作部１の平面部に設けられている場合を示しており、感圧接着面２２を処置具挿入口５の側部の平面部に接着して、汚液吸収部材２１で処置具挿入口５を覆うようにすればよい。
【００２８】
処置具１００を使用する場合には、汚液吸収部材２１を処置具挿入口５の上から退かせばよいが、汚液吸収部材２１の処置具挿入口５に対向する部分に、図１１に示されるようにスリット２４を形成して、処置具１００をスリット２４に通すようにしてもよい。
【００２９】
【発明の効果】
本発明によれば、内視鏡の操作部に配置された処置具挿入口を覆うための柔軟性のある吸水性材料からなる汚液吸収部材を、処置具挿入口の近傍に感圧接着によって着脱自在に取り付けたことにより、処置具挿入口から体腔内汚液が外方に飛び散らないので、内視鏡検査を衛生的に行うことができ、しかも汚液吸収部材は必要に応じて容易に付け替え交換等をすることができる。
【図面の簡単な説明】
【図１】本発明の実施の形態の汚液飛散防止具が操作部に取り付けられた第１の使用状態の側面図である。
【図２】本発明の実施の形態の汚液飛散防止具の正面図である。
【図３】本発明の実施の形態の汚液飛散防止具の第１の使用状態の斜視図である。
【図４】本発明の実施の形態の汚液飛散防止具が操作部に取り付けられて処置具が使用されている第１の使用状態の側面図である。
【図５】本発明の実施の形態の汚液飛散防止具が操作部に取り付けられた第２の使用状態の側面図である。
【図６】本発明の実施の形態の汚液飛散防止具の第２の使用状態の斜視図である。
【図７】本発明の実施の形態の汚液飛散防止具が操作部に取り付けられた第３の使用状態の側面図である。
【図８】本発明の実施の形態の汚液飛散防止具が操作部に取り付けられて処置具が使用されている第３の使用状態の側面図である。
【図９】本発明の実施の形態の汚液飛散防止具が操作部に取り付けられて処置具が使用されている第３の使用状態の横断面図である。
【図１０】本発明の実施の形態の汚液飛散防止具が操作部に取り付けられた第４の使用状態の側面図である。
【図１１】本発明の第２の実施の形態の汚液飛散防止具の正面図である。
【符号の説明】
１  操作部
３  突出部
４  鉗子チャンネル
５  処置具挿入口
６  鉗子栓
２０  汚液飛散防止具
２１  汚液吸収部材
２２  感圧接着面
【図１】
0003554450.tif 000002
【図２】
0003554450.tif 000003
【図３】
0003554450.tif 000004
【図４】
0003554450.tif 000005
【図５】
0003554450.tif 000006
【図６】
0003554450.tif 000007
【図７】
0003554450.tif 000008
【図８】
0003554450.tif 000009
【図９】
0003554450.tif 000010
【図１０】
0003554450.tif 000011
【図１１】
0003554450.tif 000012